(57)【要約】【課題】浴槽設置時に浴槽底面部を加熱するように構成したり、浴槽設置時は底面部を加熱できないが、将来底面部の加熱のための増設を可能としたりできる。【解決手段】底面部１から下方に向けて脚部２を突出する非金属製の浴槽３と、この浴槽３の脚部２が載置される架台４とよりなる。浴槽３の底面部１に金属材５を埋設する。浴槽３の底面部１の金属材５を埋設した部分の下方位置に、浴槽３とは別体の電磁誘導加熱装置６を配置してこの電磁誘導加熱装置６を架台４に設置する。【選択図】        図１
2011174636.tif 000002
【特許請求の範囲】
【請求項１】
底面部から下方に向けて脚部を突出する非金属製の浴槽と、この浴槽の前記脚部が載置される架台とよりなり、前記浴槽の前記底面部に金属材を埋設し、前記浴槽の底面部の金属材を埋設した部分の下方位置に、前記浴槽とは別体の電磁誘導加熱装置を配置してこの電磁誘導加熱装置を前記架台に設置して成ることを特徴とする浴槽加熱装置。
【請求項２】
前記浴槽の前記底面部の入浴者が腰を下ろす部分に前記金属材を埋設して成ることを特徴とする請求項１記載の浴槽加熱装置。
【発明の詳細な説明】
【技術分野】
【０００１】
本願発明は、浴槽加熱装置に関するものである。
【背景技術】
【０００２】
従来から、非金属製の浴槽の底面部に金属材を埋設すると共に、底面部の下面側の金属材に対応する部位に電磁誘導加熱装置を設け、電磁誘導加熱装置に通電することで、金属材を加熱するようにした浴槽が特許文献１により知られている。
【先行技術文献】
【特許文献】
【０００３】
【特許文献１】実開昭５５−１５３５３３号公報
【発明の概要】
【発明が解決しようとする課題】
【０００４】
しかしながら、上記特許文献１に示された従来例は、金属材及び電磁誘導加熱装置をいずれも浴槽の底面部に一体に設けたものである。そして、従来例は、浴槽の底面部を加熱したいという顧客の要望に対しては、底面部に金属材及び電磁誘導加熱装置を一体に設けた高価な浴槽を新築時に設置することで対応できる。しかし、浴槽設置の初期においては、底面部の加熱が必要ではないが、将来、底面部の加熱が必要になった際に、簡単に増設できるようにしたいという顧客の要望には対応できなかった。
【０００５】
本願発明は上記の従来例の問題点に鑑みて発明したものであって、浴槽設置時に浴槽底面部を加熱するように構成したり、浴槽設置時は底面部を加熱できないが、将来底面部の加熱のための増設を可能としたりできる浴槽加熱装置を提供することを課題としている。
【課題を解決するための手段】
【０００６】
本願発明の浴槽加熱装置は、底面部から下方に向けて脚部を突出する非金属製の浴槽と、この浴槽の前記脚部が載置される架台とよりなり、前記浴槽の前記底面部に金属材を埋設し、前記浴槽の底面部の金属材を埋設した部分の下方位置に、前記浴槽とは別体の電磁誘導加熱装置を配置してこの電磁誘導加熱装置を前記架台に設置して成ることを特徴とする。
【０００７】
また、前記浴槽の前記底面部の入浴者が腰を下ろす部分に前記金属材を埋設して成ることが好ましい。
【発明の効果】
【０００８】
本願発明は、浴槽の底面部に金属材を埋設し、この金属材を誘導加熱する電磁誘導加熱装置が浴槽と別体であるため、浴槽自体のコストが高くならない。したがって、浴槽を設置する際、電磁誘導加熱装置を架台に設置するか、しかいかを選択することで、浴槽設置時に底面部を加熱するように構成するか、あるいは、加熱しないように構成するかを選択できる。そして、浴槽設置時に電磁誘導加熱装置を架台に設置しない場合は、底面部に金属材を埋設した浴槽を架台に設置するだけなのでコストが安くなる。また、将来底面部を加熱した場合は、浴槽とは別体の電磁誘導加熱装置を、金属材の下方の架台に設置することで、簡単に底面部を加熱することができる。
【図面の簡単な説明】
【０００９】
【図１】浴槽加熱装置の断面図である。
【図２】同上の浴槽の平面図である。
【図３】同上の電磁誘導加熱装置の斜視図である。
【図４】同上の電磁誘導加熱装置の他の実施形態の概略断面図である。
【発明を実施するための形態】
【００１０】
以下、本願発明を添付図面に示す実施形態に基づいて説明する。
【００１１】
本願発明の浴槽３は、ハーフタイプの浴室７に設置される。ハーフタイプの浴室７は図１に示すように、建物のスラブ８、床、土台、大引等の支持基材上に設置又は掛け渡される架台４上に洗い場用床パン９、浴槽３を設置すると共に、洗い場用床パン９の一端部と浴槽３のフランジ部１０との間にエプロン１１を設けたものである。したがって、このハーフタイプの浴室７に設置する浴槽３の底面部１の下方には浴槽載置用床パンが存在し無いので、底面部１の下方に浴槽載置用床パンがあるタイプのものに比べると底面部１が冷え易い。図１において符号１５は浴室７の壁パネルを示している。
【００１２】
そこで、本願発明は、浴槽３の底面部１に金属材５を埋設し、底面部１の金属材５を埋設した部分の下方位置に、浴槽３とは別体の電磁誘導加熱装置６を配置して架台４に設置することで、底面部１を加熱可能としている。
【００１３】
浴槽３は、合成樹脂のような非金属製であり、底面部１の下面に下方に向けて脚部２を突出し、また、図２に示すように、底面部１の入浴者が腰を下ろす部分（底面部１のお尻が接する部分）に金属板のような金属材５を埋設している。一般に入浴者は底面部１の排水孔１６を設けた側に足を位置させ、排水孔１６から離れた側に腰を下ろす。したがって、
底面部１の入浴者が腰を下ろす部分は、浴槽３を平面視で長手方向に二分して排水孔１６が存在しない側の片側半分を入浴者が腰を下ろす部分と見なしてこの部分に図２に示すように金属材５を埋設する。なお、本発明において金属材５は底面部１に完全に埋設されるもののみに限定されず、金属材５の下面が底面部１の下面側において露出するように埋設するものであってもよい。
【００１４】
電磁誘導加熱装置６は浴槽３とは別体に形成してあり、電磁誘導コイル１２、高周波発生回路１３、温度検知装置１４を備えている。図３、図４にはそれぞれ電磁誘導加熱装置６の一例及び他例を示している。なお、電磁誘導加熱装置６には電源コードを有しているが、添付図面においては電源コードの図示を省略している。
【００１５】
電磁誘導加熱装置６の高さは浴槽３の脚部２の下方への突出長さと同一又は短く設定してある。
【００１６】
架台４には浴槽３の脚部２を設置するための脚部設置部４ａと、電磁誘導加熱装置６を設置するための加熱装置設置部４ｂを設けている。
【００１７】
そして、浴槽３は、脚部２を架台４の脚部設置部４ａに載置することで架台４に設置される。
【００１８】
加熱装置設置部４ｂは浴槽３を架台４に設置した状態で、底面部１に埋設した金属材５の下方の架台４部分に設けられ、この加熱装置設置部４ｂに電磁誘導加熱装置６が載置自在となっている。
【００１９】
浴槽３を架台４に設置する時に、同時に電磁誘導加熱装置６を架台４に設置すると、浴槽３の設置初期の段階から浴槽３の底面部１を加熱できる構造とすることができる。
【００２０】
底面部１を加熱するには、高周波発生回路１３により電磁誘導コイル１２に高周波の電流を流すことで、高周波誘導加熱により金属材５に渦電流が発生し、抵抗により金属材５が発熱する。温度検知装置１４は金属材５が過熱しないように高周波発生回路１３により電磁誘導コイル１２への通電制御を行う。
【００２１】
したがって、お湯を溜めた直後浴槽３の底面部１はあまり冷たさを感じないが、冬季など時間が経過するにつれ底面部１が冷えていきお尻の冷たさが感じる場合は、金属材５を発熱させてお尻が接触する部分を加熱して冷たさを感じないようにする。
【００２２】
ここで、浴槽３を架台４に設置する時、電磁誘導加熱装置６を設置し、浴槽３の設置初期の段階から浴槽３の底面部１を加熱できるようにしてもよいが、浴槽３を架台４に設置する際は電磁誘導加熱装置６を設置せず、後で必要に応じ設置するようにしてもよい。
【００２３】
浴槽３の設置の初期の段階で底面部１の加熱を必要としない場合は、底面部１に金属材５を埋設した浴槽３を架台４に設置するのみで、電磁誘導加熱装置６は設置しない。したがって、浴槽３の設置段階におけるコストを低減できる。
【００２４】
そして、後で底面部１の加熱が必要になった場合は、後付で電磁誘導加熱装置６を架台４の加熱装置設置部４ｂに設置する。この場合、電磁誘導加熱装置６の高さは浴槽３の脚部２の下方への突出長さと同一又は短く設定しておくことで、エプロン１１を取り外し、浴槽３の底面部１と架台４の上面部との間の隙間に電磁誘導加熱装置６を支障なく差し込んで設置できる。また、この後付けの工事は、エプロン１１を取り外すだけでよいので、大掛かりな工事や浴槽３の交換が必要でない。
【符号の説明】
【００２５】
１  底面部
２  脚部
３  浴槽
４  架台
５  金属材
６  電磁誘導加熱装置
【図１】
2011174636.tif 000003
【図２】
2011174636.tif 000004
【図３】
2011174636.tif 000005
【図４】
2011174636.tif 000006